(57)【要約】【課題】  複数グループの画像データ（例えば、サムネイル画像データ）を効率良く一覧表示させ、ユーザの利便性を向上させる。【解決手段】  同一の連続撮影モードの撮影処理により得られ、グループ化された複数の画像データをメモリ１０３にて複数記憶する。画面構成部１０７は、少なくとも２以上のグループの画像データを同一画面上において一覧表示するための表示データを生成し、表示制御部１０８は、当該表示データを画面表示部１０９にて表示させる。【選択図】  図１
2005117182.tif 000002
【特許請求の範囲】
【請求項１】
同一の連続撮影モードの撮影処理により得られ、グループ化された複数の画像データを複数記憶する記憶手段と、
少なくとも２以上のグループの画像データを同一画面上において一覧表示するための表示データを生成する画面構成手段と、
前記画面構成手段により生成された前記表示データを表示部にて表示させる表示制御手段とを有することを特徴とする画像表示装置。
【請求項２】
前記画面構成手段は、前記表示データに用いられた前記画像データを、夫々に該当するグループに含まれる他の画像データで更新することにより新たな表示データを生成し、前記表示制御手段は、前記表示データの後に前記新たな表示データを前記表示部において表示させることを特徴とする請求項１に記載の画像表示装置。
【請求項３】
前記他の画像データは、同一の連続撮影モードにおいて前記画像データより後の撮影処理により得られた画像データであることを特徴とする請求項２に記載の画像表示装置。
【請求項４】
前記他の画像データは、同一の連続撮影モードにおいて前記画像データが得られた撮影処理の次の撮影処理により得られた画像データであることを特徴とする請求項３に記載の画像表示装置。
【請求項５】
前記画面構成手段は、画像データに係る前記更新処理を繰り返し実行し、前記表示制御手段は、前記画面構成手段により生成される表示データを順次前記表示部において表示させることを特徴とする請求項２乃至４の何れか１項に記載の画像表示装置。
【請求項６】
前記画像データと前記他の画像データとの撮影時間間隔を設定する時間間隔設定手段を更に有し、
前記画面構成手段は、前記画像データに係る撮影処理から前記撮影時間間隔を経てなされた撮影処理により得られた前記他の画像データを用いて、前記画像データを更新することを特徴とする請求項３に記載の画像表示装置。
【請求項７】
前記時間間隔設定手段は、ユーザの操作に応じて前記撮影時間間隔を設定することを特徴とする請求項６に記載の画像表示装置。
【請求項８】
前記撮影時間間隔は、前記各グループの連続撮影モードにおける連続撮影時間間隔の整数倍であることを特徴とする請求項６又は７に記載の画像表示装置。
【請求項９】
前記画像データは、サムネイル画像データであることを特徴とする請求項１乃至８の何れか１項に記載の画像表示装置。
【請求項１０】
同一の連続撮影モードの撮影処理により得られ、グループ化された複数の画像データを複数記憶する記憶手段を有する画像表示装置による画像表示方法であって、
少なくとも２以上のグループの画像データを同一画面上において一覧表示するための表示データを生成する画面構成ステップと、
前記画面構成ステップにより生成された前記表示データを表示部にて表示させる表示制御ステップとを含むことを特徴とする画像表示方法。
【請求項１１】
請求項１０に記載の画像表示方法をコンピュータに実行させるためのプログラム。
【請求項１２】
請求項１１に記載のプログラムを記録したコンピュータ読み取り可能な記録媒体。
【発明の詳細な説明】
【技術分野】
【０００１】
本発明は、同一の連続撮影モードの撮影処理により得られ、グループ化された複数の画像データを画像表示の対象とする画像表示装置、画像表示方法、プログラム及び記録媒体に関するものである。
【背景技術】
【０００２】
従来のデジタルカメラには、被写体の静止画像を１枚ずつ撮影する通常撮影モードと、被写体の静止画像を一定周期で連続的に撮影する連続撮影モードが設けられている。連続撮影モードには、一定周期での撮影毎に露出値などの撮影パラメータを変更することも出来るものも存在する。それら連続撮影モードで撮影された複数の画像データをグループ化し、記憶デバイスに格納したり、それら画像を再生したり、移動、複写、消去するための手段が特許文献１及び特許文献２等において開示されている。以下、１回の連続撮影処理で得られた複数の画像データからなるグループを「連写グループ」と称する。
【０００３】
【特許文献１】特開平６−２３３２２５号公報
【特許文献２】特開平１１−３４１４２１号公報
【発明の開示】
【発明が解決しようとする課題】
【０００４】
しかしながら、上記従来例では、以下のような問題点があった。
例えば、露出値等の撮影パラメータを変更させて、静物の連続撮影を行い、その撮影画像から作成される縮小画像（以下、サムネイル画像と称する）を一覧表示させる場合には、図２に示すとおり、一つ連写グループ内の同じようなサムネイル画像が表示画面を占有してしまい、他の連写グループのサムネイル画像が同一表示画面上に表示できないことがあった。
【０００５】
そこで、本発明の目的は、複数のグループのサムネイル画像を効率良く一覧表示させ、ユーザの利便性を向上させることを可能とすることにある。
【課題を解決するための手段】
【０００６】
本発明の画像表示装置は、同一の連続撮影モードの撮影処理により得られ、グループ化された複数の画像データを複数記憶する記憶手段と、少なくとも２以上のグループの画像データを同一画面上において一覧表示するための表示データを生成する画面構成手段と、前記画面構成手段により生成された前記表示データを表示部にて表示させる表示制御手段とを有することを特徴とする。
【０００７】
本発明の画像表示方法は、同一の連続撮影モードの撮影処理により得られ、グループ化された複数の画像データを複数記憶する記憶手段を有する画像表示装置による画像表示方法であって、少なくとも２以上のグループの画像データを同一画面上において一覧表示するための表示データを生成する画面構成ステップと、前記画面構成ステップにより生成された前記表示データを表示部にて表示させる表示制御ステップとを含むことを特徴とする。
【０００８】
本発明のプログラムは、前記画像表示方法をコンピュータに実行させることを特徴とする。また、本発明のコンピュータ読み取り可能な記録媒体は、前記プログラムを記録したことを特徴とする。
【発明の効果】
【０００９】
本発明によれば、少なくとも２以上のグループの画像データを同一画面上において一覧表示するための表示データを生成することにより、複数グループの画像データを効率良く表示部上において一覧表示させることが可能となり、ユーザの利便性を向上させることができる。
【発明を実施するための最良の形態】
【００１０】
以下、本発明を適用した好適な実施形態を、添付図面を参照しながら詳細に説明する。
＜第１の実施形態＞
図１は、本発明の第１の実施形態に係る画像表示装置の構成を示したブロック図である。
図１において、１０１はメモリカード制御部、１０２はＣＰＵ（Central Processing Unit）、１０３はメモリ、１０４は受光部、１０５はリモコン装置、１０６は画像デコード部、１０７は画面構成部、１０８は表示制御部、１０９は画像表示部である。メモリカード制御部１０１には、ランダムアクセスが可能な記憶媒体を有するメモリカードを接続することが可能である。
【００１１】
図３は、図１におけるメモリカード制御部１０１にメモリカードが接続され、画像表示部１０９に連写グループ内の複数のサムネイル画像データが表示されるまでの動作フローの一例を示している。
図１において、メモリカード制御部１０１には、連続撮影モードを有するデジタルカメラ、デジタルカムコーダ等で撮影された複数の画像データをグループ化し蓄積したメモリカードが接続される（図３におけるステップ３０１に相当する）。
【００１２】
図３のステップ３０２において、画像表示装置のユーザによって、前記メモリカードが接続されたことを図１のメモリカード制御部１０１が検知した場合は、その接続検知情報をＣＰＵ１０２に伝達する。
【００１３】
図３のステップ３０３において、前記接続検知情報を受けた図１のＣＰＵ１０２は、メモリカード制御部１０１を介して、前記メモリカード内に蓄積されている連写グループ情報をメモリ１０３に読み込む。
【００１４】
図３のステップ３０４において、図１のＣＰＵ１０２は、読み込んだ連写グループ情報の解析を行う。ここでは、メモリカード内に存在する連写グループの数、各連写グループ毎の画像枚数の解析を行う。
【００１５】
図３のステップ３０５において、先のステップ３０４の解析結果に従い、一つの連写グループ中に含まれる一つのサムネイル画像のデータを読み込む。
【００１６】
図３のステップ３０６において、先のステップ３０５で読み込まれた１つのサムネイル画像データは、図１の画像デコード部１０６に送られ、ＪＰＥＧデコード等のデコード処理が行われ、メモリ１０３に一時的にキャッシュされる。
【００１７】
図３のステップ３０７において、先のステップ３０４の解析結果に従い、同一グループ内に未読み込みのサムネイル画像のデータが存在すれば、ステップ３０５に戻り、該当するサムネイル画像のデータの読み込みを行う。同一グループ内に未読み込みのサムネイル画像のデータが存在しなければ、ステップ３０８に進む。
【００１８】
図３のステップ３０８において、前記メモリカード内に未読み込みの連写グループがあった場合は、ステップ３０９に進み、前記メモリカード内に未読み込みの連写グループがなかった場合には、ステップ３１０に進む。
【００１９】
図３のステップ３０９において、上述の如く読み込んだ連写グループの数が９以上であった場合、ステップ３１０に進み、上述の如く読み込んだ連写グループの数が９未満であった場合、ステップ３０５に戻り、他の連写グループのサムネイル画像の読み込みを行う。
【００２０】
従って、上述の処理ステップによれば、前記メモリカードモジュール内に未読み込みの連写グループが存在しなくなるか、もしくは読み込んだ連写グループの数が９となるまで、ステップ３０３からステップ３０９の処理を繰り返すことになる。本実施形態では読み込み可能な連写グループの数を９としているが、この限りではなく、後述する画面表示に最適な数であれば、６や１２、または他の数でもよい。
【００２１】
図３のステップ３１０において、図１のメモリ１０３にキャッシュされた１つの連写グループにおいて時間的に最初に撮影されたサムネイル画像データを取り出す。以降、メモリ１０３にキャッシュされた連写グループの数が９である場合には、図３のステップ３１０及び３１１において、計９つの連写グループにおいて時間的に最初に撮影されたサムネイル画像データを図１のメモリ１０３から各々取り出し、画面構成部１０７に送る。一方、メモリ１０３にキャッシュされた連写グループの数が８以下である場合には、全連写グループから１番目に撮影されたサムネイル画像データを読み出した後、最初の連写グループに戻って撮影順序が２番目のサムネイル画像データを読み出す。そして、各連写グループから撮影順序が２番目のサムネイル画像データを順次読み出し、続いて、再び最初の連写グループに戻って撮影順序が３番目のサムネイル画像データを読み出す。このような処理を読み出したサムネイル画像データの数が９となるまで行う。
【００２２】
図３のステップ３１２において、図１の画面構成部１０７は、上述の如く送られた複数のサムネイル画像データから異なる連写グループのサムネイル画像データを一覧表示するための表示データを構成し、表示制御部１０８に送り、図３のステップ３１３において、画像表示部１０９に表示する。その画面表示の一例を図４に示す。図４においては、９つの各連写グループにおいて、時間的に最初に撮影された画像のサムネイルが表示されている。
【００２３】
上述の如き表示後、図１のＣＰＵ１０２は、メモリ１０３にキャッシュされた計９つの連写グループにおいて、各々、時間的に２番目に撮影されたサムネイル画像データを、一定期間毎に例えばBitBLT等の描画手段を用いて、画面構成部１０７に送る。画面構成部１０７においては、送られたサムネイル画像データを同一の連写グループ毎に更新、表示データを作成し、表示制御部１０８に送る。表示制御部１０８においては、送られた表示データを画像表示部１０９に表示することになる。これを時間的に３番目に撮影されたデータ、４番目に撮影されたデータと繰り返すことにより、各連写グループ全てについて同時にスライドショー再生を行うことが可能である。図５に図４の４１で示した部分における連写グループのサムネイル画像表示の遷移イメージを示す。
【００２４】
図５の例において、５１で示したものは連写グループ中で時間的に最初に撮影された画像、５２で示したものは時間的に２番目に撮影された画像、以下同様に、３番目は５３、４番目は５４、５番目は５５、６番目は５６、７番目は５７、８番目は５８、９番目は５９であり、一つの連写グループにおいて、全て表示が完了すると、再度、１番目の５１に戻り、最初からスライドショー再生がなされる。同様のことが、図４の４０、４２〜４８で示した連写グループにも適用される。
【００２５】
上述の第１の実施形態によれば、複数の連写グループのサムネイル画像をスライドショー表示することにより、一画面上で複数の連写グループのサムネイル画像を同時に、効率的に一覧可能であるため、ユーザの利便性は向上する。
【００２６】
また、以上に述べた第１の実施形態は主にデジタルテレビ等に適用されるが、図１のメモリカード制御部１０１、ＣＰＵ１０２、メモリ１０３、画像デコード部１０６、画面構成部１０７、表示制御部１０８、画像表示部１０９を有する機器、例えばパーソナルコンピュータ、デジタルカメラ、デジタルカムコーダ等にも容易に適用可能である。
【００２７】
＜第２の実施形態＞
次に、本発明の第２の実施形態について説明する。
図６は、本発明の第２の実施形態に係る画像表示装置の構成を示したブロック図である。図６において、６０１は外部機器制御部、６０２は外部機器を示す。図６において、図１と同一の符号で示したものは、第１の実施形態とほぼ同様の機能を有するものであり、１０２はＣＰＵ、１０３はメモリ、１０４は受光部、１０５はリモコン装置、１０６は画像デコード部、１０７は画面構成部、１０８は表示制御部、１０９は画像表示部である。
【００２８】
図６において、外部機器制御部６０１には、無線接続手段（BlueTooth等）或いは有線接続手段（ＵＳＢ（Universal Serial Bus）、ＩＥＥＥ１３９４（ＩＥＥＥ１３９４−１９９５及びその拡張規格を含む）等）を介して外部機器６０２（例えば、デジタルカメラ、デジタルカムコーダ）が接続される。外部機器６０２は、第１の実施形態と同様の連写画像グループの形成が可能な装置である。
【００２９】
画像表示装置のユーザによって、前記外部機器６０２が接続されたことを図６の外部機器制御部６０１が検知した場合は、その接続検知情報をＣＰＵ１０２に伝達する。前記接続検知情報を受けた図６のＣＰＵ１０２は、外部機器制御部６０１を介して、外部機器６０２に内蔵されるメモリカード内に蓄積されている連写グループ情報をメモリ１０３に読み込む。それ以降、図４、図５に示した複数の連写グループのサムネイル画像をスライドショー表示に至る動作は、上記第１の実施形態と同様である。
【００３０】
第２の実施形態によれば、第１の実施形態と同様、複数の連写グループのサムネイル画像をスライドショー表示することにより、一画面上で複数の連写グループのサムネイル画像を同時に、効率的に一覧可能であるため、ユーザの利便性は向上する。また、第２の実施形態は、主にデジタルテレビ等に適用されるが、図１のメモリカード制御部１０１、ＣＰＵ１０２、メモリ１０３、画像デコード部１０６、画面構成部１０７、表示制御部１０８、画像表示部１０９を有する機器、例えばパーソナルコンピュータ、デジタルカメラ、デジタルカムコーダ等にも容易に適用可能である。
【００３１】
＜第３の実施形態＞
次に、本発明の第３の実施形態について説明する。
本発明の第３の実施形態として適用される画像表示装置の構成を示すブロック図は、第１の実施形態と同様の図１である。本実施形態において特徴的なことは、連写グループのサムネイル画像のスライドショー表示時間間隔をユーザによって調整可能とする手段を設けたことにある。
【００３２】
図１において、メモリカード制御部１０１には、連続撮影モードを有するデジタルカメラ、デジタルカムコーダ等で撮影された複数の画像データをグループ化し蓄積したメモリカードが接続される。画像表示装置のユーザによって、前記メモリカードが接続されたことを図１のメモリカード制御部１０１が検知した場合は、その接続検知情報をＣＰＵ１０２に伝達する。前記接続検知情報を受けた図１のＣＰＵ１０２は、メモリカード制御部１０１を介して、前記メモリカード内に蓄積されている連写グループ情報をメモリ１０３に読み込み、連写グループ情報の解析を行う。ここでは、メモリカード内に存在する連写グループの数、各連写グループ毎の連写画像枚数、デジタルカメラ、デジタルカムコーダ等によって連写グループ毎に設定された連続撮影時間間隔情報の解析を行う。
【００３３】
ＣＰＵ１０２における連写グループ情報の解析後、ＣＰＵ１０２は、画面構成部１０７、表示制御部１０８、画像表示部１０９を介して、図７に示すような、ユーザインタフェース画面の手表示を行う。図７のユーザインタフェース画面によれば、ユーザによる図８に示すようなリモコン装置（図１のリモコン装置１０５に相当する）に備わるテンキー８０１及び、決定キー８０２の操作により、サムネイル画像スライドショー表示の表示更新時間間隔を、ＣＰＵ１０２によって解析された連続撮影時間間隔の整数倍単位で設定することが可能である。上述の設定値（図７においては１０倍）に従い、サムネイル画像データを図１のメモリ１０３から各々取り出し（更新前のサムネイル画像データに係る撮影処理から上記表示更新時間間隔を経てなされた撮影処理により得られたサムネイル画像データをグループ毎にメモリ１０３から取り出し）、画面構成部１０７に送る時間間隔を調整することにより、サムネイル画像スライドショー表示の表示更新時間間隔は調整可能となる。
【００３４】
またサムネイル画像スライドショー表示の際、図９の９１で示すように、実際に撮影された連写時間間隔情報を共に表示させれば、ユーザは実際の連写時間間隔を容易に認識することが可能であり、ユーザにとってより親切である。９２で示すものは、画像の選択候補を示すカーソル枠であり、図８の８０３〜８０６で示すようなカーソル移動キーを用いることで、各サムネイル表示枠に移動可能であり、カーソル選択後、リモコン装置の決定キー８０２を押すことにより、撮影画像の画面表示が可能となる。
【００３５】
本発明の第３の実施形態によれば、第１及び第２の実施形態と同様、複数の連写グループのサムネイル画像をスライドショー表示することにより、一画面上で複数の連写グループのサムネイル画像を同時に、効率的に一覧可能であるため、ユーザの利便性は向上する。更に更新表示時間間隔をユーザにより調整可能とし、実際の連続撮影時間間隔情報と共に表示する構成としたため、更にユーザの利便性は向上する。
【００３６】
また、第３の実施形態は主にデジタルテレビ等に適用されるが、図１のメモリカード制御部１０１、ＣＰＵ１０２、メモリ１０３、画像デコード部１０６、画面構成部１０７、表示制御部１０８、画像表示部１０９を有する機器、例えばパーソナルコンピュータ、デジタルカメラ、デジタルカムコーダ等にも容易に適用可能である。
【００３７】
また、本発明の目的は、前述した実施形態の機能を実現するソフトウェアのプログラムコードを記録した記憶媒体を、システム或いは装置に供給し、そのシステム或いは装置のコンピュータ（またはＣＰＵやＭＰＵ）が記憶媒体に格納されたプログラムコードを読み出し実行することによっても、達成されることは言うまでもない。
【００３８】
この場合、記憶媒体から読み出されたプログラムコード自体が前述した実施形態の機能を実現することになり、プログラムコード自体及びそのプログラムコードを記憶した記憶媒体は本発明を構成することになる。
【００３９】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００４０】
また、コンピュータが読み出したプログラムコードを実行することにより、前述した実施形態の機能が実現されるだけでなく、そのプログラムコードの指示に基づき、コンピュータ上で稼動しているＯＳ(基本システム或いはオペレーティングシステム)などが実際の処理の一部又は全部を行い、その処理によって前述した実施形態の機能が実現される場合も含まれることは言うまでもない。
【００４１】
さらに、記憶媒体から読み出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵ等が実際の処理の一部又は全部を行い、その処理によって前述した実施形態の機能が実現される場合も含まれることは言うまでもない。
【図面の簡単な説明】
【００４２】
【図１】本発明の第１及び第３の実施形態に係る画像表示装置の構成を示したブロック図である。
【図２】従来のサムネイル画像の一覧表示画面の一例を示した図である。
【図３】本発明の第１の実施形態に係る画像表示装置の動作の流れを示したフローチャートである。
【図４】本発明の第１及び第２の実施形態に係るサムネイルスライドショー画面の一例を示した図である。
【図５】本発明の第１〜第３の実施形態に係るサムネイル画像表示の遷移イメージを示した図である。
【図６】本発明の第２の実施形態に係る画像表示装置の構成を示したブロック図である。
【図７】本発明の第３の実施形態に係るユーザインタフェース画面の一例を示した図である。
【図８】本発明の第３の実施形態に係るリモコン装置の外観図である。
【図９】本発明の第３の実施形態に係るサムネイルスライドショー画面の一例を示した図である。
【符号の説明】
【００４３】
１０１  メモリカード制御部
１０２  ＣＰＵ
１０３  メモリ
１０４  受光部
１０５  リモコン装置
１０６  画像デコード部
１０７  画像構成部
１０８  表示制御部
１０９  画像表示部
６０１  外部機器制御部
６０２  外部機器
８０１  テンキー
８０２  決定キー
８０３〜８０６  カーソル移動キー
【図１】
2005117182.tif 000003
【図２】
2005117182.tif 000004
【図３】
2005117182.tif 000005
【図４】
2005117182.tif 000006
【図５】
2005117182.tif 000007
【図６】
2005117182.tif 000008
【図７】
2005117182.tif 000009
【図８】
2005117182.tif 000010
【図９】
2005117182.tif 000011